(57)【要約】  本発明は、カレンダ間を調整することによって空き時間情報サービスを提供するための方法に関するものであり、この方法は、ａ）各カレンダが、均一な時間スケールの時間的順序として（たとえばリボン状の形式で）表されるように、各カレンダを時間キューブへと分割するステップと、ｂ）それぞれの特定のカレンダ上の各キューブを、空き状態、占有状態又は保留状態といった予約状況のうちの１つによって定義するステップと、ｃ）ユーザが、承認を得るために、１つ又は複数の相手先に対してイベントへの招待を表すデータを送信することを許し、１つ又は複数の相手先の招待が承認されたとき、機密のやり方で、安全な「プライベート・ルーム」を開いて、それぞれの承認された相手先の予定表を、各相手先の各予定表が、その相手先の予約状況のみを表すデータを含むように前記「プライベート・ルーム」へインポートするステップであって、前記ユーザを含むすべての承認された相手先を、前記イベントの出席者として定義するステップと、ｄ）前記安全な「プライベート・ルーム」において、すべてのインポートされた予定表を同時に検索し、すべての出席者の間で「空き」状態と定義された共通の利用可能な整合する時間キューブ、又はすべての出席者間の「空き」状態の時間キューブの連続若しくは他の組合せのうち少なくとも１つの選択肢を見つけて、前記出席者及び前記イベントのデータによって与えられた、すべての出席者の間の時差と各出席者の近似の移動時間とを含むすべての条件を検討するステップと、ｅ）空きの整合する時間キューブを、自動的に、又は前記出席者によって承認された後に、各出席者の会議／イベントへの近似の移動時間を含めて、占有されたものと設定するステップとを含む。
2015531505.tif 000002
【特許請求の範囲】
【請求項１】
カレンダ間を調整する方法であって、
ａ．各カレンダが、均一な時間スケールの時間的順序として表されるように、各カレンダを時間キューブへと分割するステップと、
ｂ．それぞれの特定のカレンダ上の各キューブを、空き状態、占有状態又は保留状態といった予約状況のうちの１つによって定義するステップと、
ｃ．ユーザが、承認を得るために、１つ又は複数の相手先に対してイベントへの招待を表すデータを送信することを許し、１つ又は複数の相手先の招待が承認されたとき、機密のやり方で、安全な「プライベート・ルーム」を開いて、それぞれの承認された相手先の予定表を、各相手先の各予定表が、その相手先の予約状況のみを表すデータを含むように前記「プライベート・ルーム」へインポートするステップであって、前記ユーザを含むすべての承認された相手先を、前記イベントの出席者として定義するステップと、
ｄ．前記安全な「プライベート・ルーム」において、すべてのインポートされた予定表を同時に検索し、すべての出席者の間で「空き」状態と定義された共通の利用可能な整合する時間キューブ、又はすべての出席者間の「空き」状態の時間キューブの連続若しくは他の組合せのうち少なくとも１つの選択肢を見つけて、前記出席者及び前記イベントのデータによって与えられた、すべての出席者の間の時差と各出席者の近似の移動時間とを含むすべての条件を検討するステップと、
ｅ．前記空きの整合する時間キューブを、自動的に、又は前記出席者によって承認された後に、各出席者の会議／イベントへの近似の移動時間を含めて、占有されたものと設定するステップとを含む方法。
【請求項２】
各ユーザが、各イベントに対して重要度を設定することを可能にするステップをさらに含む請求項１に記載の方法。
【請求項３】
占有状態と明示された時間キューブに、前記カレンダの所有者によって与えられた重要度をインポートするステップをさらに含む請求項２に記載の方法。
【請求項４】
２つ以上のイベントの間に時間競合がある場合は常に、それほど重要でないイベントを延期して他の時期にスケジュール変更することにより、前記カレンダ内のイベントに、重要度に応じて優先順位を付けることを可能にするステップをさらに含む請求項２に記載の方法。
【請求項５】
前記整合させるステップが、時間帯の差と、各出席者の、直前のイベントの位置から必要な移動時間、又は位置サービス若しくは前記ユーザから提供された位置に応じた必要な移動時間とを考慮する請求項１に記載の方法。
【請求項６】
全日の会議／イベントをクリアし、任意選択でそれらをすべてスケジュール変更する手段を提供するステップをさらに含む請求項１に記載の方法。
【請求項７】
前記ユーザに、特定の時間に現れるが、前記ユーザの予定に影響を及ぼさないコメントを追加するための選択肢を提供するステップをさらに含む請求項１に記載の方法。
【請求項８】
前記ユーザの１つ又は複数の相手先に対して１つ又は複数のタスクを送信するための選択肢を提供するステップをさらに含み、前記タスクが、前記１つ又は複数の相手先のカレンダに（自動的に、又は承認され次第）追加され得るステップをさらに含む請求項１に記載の方法。
【請求項９】
前記送信タスクを生成するステップが、時間ベースのコメントとして前記ユーザのカレンダに書き込まれ得る請求項８に記載の方法。
【請求項１０】
前記イベントに対して１つ又は複数の任意選択の会議時間を適用するステップをさらに含み、その中で、前記任意選択の時間キューブが前記カレンダ上にマークを付けられて、前記ユーザが、前記提供された整合する選択肢のうちの１つを選択することができるように、任意選択の時間系列が各ユーザの前記カレンダ上に示されることになるステップをさらに含む請求項１に記載の方法。
【請求項１１】
前記ユーザが、前記イベント及びその出席者の、情報、条件及び制約のすべてと整合する最も早い時間系列を容易に選択することを可能にするための「最も早い選択肢」ボタンを提供するステップをさらに含む請求項１０に記載の方法。
【請求項１２】
各ユーザの前記カレンダ上に、サード・パーティのエンティティに関連した位置ベースの通知を表示することを可能にするステップをさらに含む請求項１に記載の方法。
【請求項１３】
前記サード・パーティのエンティティが広告主又は商用コンテンツのプロバイダである請求項１２に記載の方法。
【請求項１４】
ユーザの依頼に従って会議の場所を提供するステップをさらに含む請求項１に記載の方法。
【請求項１５】
サード・パーティからの追加の情報及びオンライン予約を提供するステップをさらに含む請求項１４に記載の方法。
【請求項１６】
選択された相手先を特別なロールの相手先として定義し、任意選択で、他のユーザの相手先に対して、固有の視覚的なやり方で前記特別なロールの相手先にマークを付けることを可能にするステップをさらに含む請求項１に記載の方法。
【請求項１７】
ユーザのカレンダ間を調整するためのシステムであって、
ａ）各ユーザの空き状態、占有状態、又は保留状態といった予約状況以外は、いかなるカレンダリング・コンテンツも用いることなく、安全な「プライベート・ルーム」によって、安全な匿名のやり方で、ユーザのカレンダ間の同期をとるように適合された会議調整サーバと、
ｂ）前記会議調整サーバと通信し、且つ同期をとるために、ユーザの端末ユニット上で動作する／実行するように適合された専用アプリケーションとを備えるシステム。
【請求項１８】
１つ又は複数のサード・パーティのエンティティが、前記ユーザのカレンダ及び現在／将来の１つ又は複数の予定位置に関して位置ベースのコンテンツを提供することを可能にするための広告サーバであって、前記位置ベースのコンテンツが存在するときは常に、前記ユーザのカレンダ上に、前記コンテンツのセクタ又はタイプを表すだけ、又は示すだけのアイコン又は他の関連したシンボルとして通知を表示する広告サーバをさらに備える請求項１７に記載のシステム。
【発明の詳細な説明】
【技術分野】
【０００１】
本発明は、カレンダリング・システムの分野に関する。より詳細には、本発明は、機密且つ匿名のやり方でカレンダの同期をとることによるカレンダ管理サービスのための方法及びシステムに関する。
【背景技術】
【０００２】
今日の世界では、ソーシャル・ネットワークが非常に発達しており、また理解されているが、どういうわけか会議の基本機能は取り残されている。すべての今日の技術をもってしても、会議／日付／予約を設定することは、複数参加者のイベントのグループ会議（パーティ、結婚式、誕生会、宗教儀式など）は言うまでもなく、非常に困難であることが判明している。
【０００３】
仕事の同僚／クライアント／友人／配偶者／子供などと予定を合わせようとして時間を浪費したことが、一日に何回あったことか？会議がキャンセルされて予定表に穴があき、帰宅時間が遅れたことは？在宅時に、明日の予定とのつながりを絶たれた状態で起こることは免除されているとしても、秘書サービスを有していないビジネスマンは何人居ることか？一日に何回、「何時にお会いできますか？」と尋ねられたり尋ねたりしているであろうか？
【発明の概要】
【発明が解決しようとする課題】
【０００４】
より多くのユーザが、インターネットに接続して日々の作業を電子的に処理するので、各ユーザの時間資源が、はるかにより効率的になり得る。したがって、本発明は、ユーザの最も高価な資源である時間を、機密のやり方で節約し、且つ編成するために、ユーザ間を接続することができるシステムを提供することを目的とするものである。
【０００５】
説明が進行するにつれて、本発明の他の目的及び利益が明らかになるであろう。
【課題を解決するための手段】
【０００６】
本発明は、カレンダ間を調整することによって空き時間情報サービスを提供するための方法に関するものであり、この方法は、ａ）各カレンダが、均一な時間スケールの時間的順序として（たとえばリボン状の形式で）表されるように、各カレンダを時間キューブへと分割するステップと、ｂ）それぞれの特定のカレンダ上の各キューブを、空き状態、占有状態又は保留状態といった予約状況のうちの１つによって定義するステップと、ｃ）ユーザが、承認を得るために、１つ又は複数の相手先に対してイベントへの招待を表すデータを送信することを許し、１つ又は複数の相手先の招待が承認されたとき、機密のやり方で、安全（Ｓｅｃｕｒｅｄ）な「プライベート・ルーム」を開いて、それぞれの承認された相手先の予定表を、各相手先の各予定表が、その相手先の予約状況のみを表すデータを含むように前記「プライベート・ルーム」へインポートするステップであって、前記ユーザを含むすべての承認された相手先を、前記イベントの出席者として定義するステップと、ｄ）前記安全な「プライベート・ルーム」において、すべてのインポートされた予定表を同時に検索し、すべての出席者の間で「空き」状態と定義された共通の利用可能な整合する時間キューブ、又はすべての出席者間の「空き」状態の時間キューブの連続若しくは他の組合せのうち少なくとも１つの選択肢を見つけて、前記出席者及び前記イベントのデータによって与えられた、すべての出席者の間の時差と各出席者の近似の移動時間とを含むすべての条件を検討するステップと、ｅ）空きの整合する時間キューブを、自動的に、又は前記出席者によって承認された後に、各出席者の会議／イベントへの近似の移動時間を含めて、占有されたものと設定するステップとを含む。
【０００７】
本発明の一実施例によれば、この方法は、各ユーザが各イベントに対して重要度を設定することを可能にするステップをさらに含む。加えて、この方法は、占有状態と明示された時間キューブに、カレンダの所有者によって与えられた重要度をインポートするステップをさらに含む。その上、この方法は、２つ以上のイベントの間に時間競合がある場合は常に、それほど重要でないイベントを延期して他の時期にスケジュール変更することにより、カレンダ内のイベントに、重要度に応じて優先順位を付けることを可能にするステップをさらに含む。
【０００８】
本発明の一実施例によれば、整合させるステップは、時間帯の差と、各出席者の、直前のイベントの位置から必要な移動時間、又は位置サービス若しくはユーザから提供された位置に応じた必要な移動時間とを考慮する。
【０００９】
本発明の一実施例によれば、この方法は、全日の会議／イベントをクリアして、任意選択で、それらの会議／イベントをすべてスケジュール変更する手段を提供するステップさらに含む。
【００１０】
本発明の一実施例によれば、この方法は、ユーザが、特定の時間に現れるがユーザの予定に影響を及ぼすことのないコメントを付け加えるための選択肢を提供するステップをさらに含む。
【００１１】
本発明の一実施例によれば、この方法は、ユーザの１つ又は複数の相手先に対して１つ又は複数のタスクを送信するための選択肢を提供するステップをさらに含み、このタスクは、前記１つ又は複数の相手先のカレンダに（自動的に、又は承認され次第）追加され得る。たとえば、そのような送信タスクを生成するステップは、時間ベースのコメントとしてユーザのカレンダに書き込まれ得る。この方法は、たとえばユーザのカレンダ上のタスクに関するユーザの予定時刻、又はユーザのインボックス上のタスク・リストなどによって、ユーザのタスクを処理するための複数の選択肢をユーザに提供するステップをさらに含む。これら２つの例示的選択肢又はタスクを処理するための何らかの他のやり方は、自動的に、又はユーザに承認され次第、互いに同時に更新することができる。
【００１２】
本発明の一実施例によれば、この方法は、イベントに対して１つ又は複数の任意選択の会議時間を適用するステップをさらに含み、その中で、任意選択の時間キューブがカレンダ上にマークを付けられて、ユーザが、提供された整合する選択肢のうちの１つを選択することができるように、任意選択の時間系列が各ユーザのカレンダ上に表示されることになる。この方法は、ユーザが、イベント及びその出席者の、情報、条件及び制約のすべてと整合する最も早い時間系列を容易に選択することを可能にするための「最も早い選択肢」ボタンをさらに提供してよい。たとえば、他の出席者の予定のいかなる情報も共有することなく、任意選択のイベントの時間が、ユーザのカレンダ上にマークを付けられて出現してもよい。ユーザは、提供された任意選択の会議時間のうちの１つを選択することができ、或いは、「最も早い選択肢」ボタンを押して、イベントの時間として最も早い選択肢を設定することができるようになる。
【００１３】
本発明の一実施例によれば、この方法は、各ユーザのカレンダ上に、サード・パーティのエンティティに関連した位置ベースの通知を表示することを可能にするステップをさらに含む。たとえば、サード・パーティのエンティティは、広告主又は商用コンテンツのプロバイダであり得る。
【００１４】
別の態様では、本発明は、ユーザのカレンダ間を調整するためのシステムに関し、このシステムは、ａ）各ユーザの空き状態、占有状態、又は保留状態といった予約状況以外は、いかなるカレンダリング・コンテンツも用いることなく、安全な「プライベート・ルーム」によって、機密且つ匿名のやり方で、ユーザのカレンダ間の同期をとるように適合された会議調整サーバと、ｂ）前記会議調整サーバと通信し、且つ同期をとるために、ユーザの端末ユニット上で動作する／実行するように適合された専用アプリケーションとを備える。
【００１５】
本発明の一実施例によれば、このシステムは、１つ又は複数のサード・パーティのエンティティが、ユーザのカレンダ及び現在／将来の１つ又は複数の予定位置に関して位置ベースのコンテンツを提供することを可能にするための広告サーバであって、そのような位置ベースのコンテンツが存在するときは常に、ユーザのカレンダ上に、コンテンツのセクタ又はタイプを表すだけ、又は示すだけのアイコン又は他の関連したシンボルとして通知を表示する広告サーバをさらに備える。
【図面の簡単な説明】
【００１６】
【図１】本発明の一実施例による会議調整システムを示す概略図である。
【図２】本発明の一実施例による、時間キューブに分割されたカレンダの、リボン状の形式の例示的表現を示す概略図である。
【図３】数人の出席者の時差及びその位置への近似の移動時間を考慮した、利用可能な時間キューブ間の整合を示す概略図である。
【図４】出席者のカレンダのそれぞれにおいて、占有されたものとして、会議／イベントの時間及び移動時間の登録を示す概略図である。
【図５】本発明の一実施例による会議調整システムの例示的画面レイアウトを示す概略図である。
【図６】本発明の一実施例による会議調整システムの例示的画面レイアウトを示す概略図である。
【図７】本発明の一実施例による会議調整システムの例示的画面レイアウトを示す概略図である。
【図８】本発明の一実施例による会議調整システムの例示的画面レイアウトを示す概略図である。
【図９】本発明の一実施例による会議調整システムの例示的画面レイアウトを示す概略図である。
【発明を実施するための形態】
【００１７】
本発明の実施例は、カレンダリング・アプリケーションの要求及び／又は会議をスケジュール設定するための専用ウェブサイト及び／又は１人若しくは複数の会議出席者とともに用いられる資源及び／又は資源用の空き時間情報サービスによって、機密且つ匿名のやり方で、リアルタイムの有用性データ（空きデータ／占有データ／保留データ）を取得するための方法、システム及びコンピュータ製品を対象とするものである。この説明の全体にわたって、「相手先」という用語は、本発明の空き時間情報サービスと相互に作用することができるエンティティを示すのに用いられる。エンティティは、個人ユーザ、サード・パーティ、予約サービスのプロバイダ、企業、専門のユーザなどであり得る。たとえば、個人ユーザが相互に作用し得る他の相手先は、個人ユーザの自前の相手先リストに載っていても載っていなくてもよい。
【００１８】
次に、本発明のいくつかの実施例が参照されるが、それらの実例は添付図に示されている。図において、使用できるところでは、類似の参照番号又は同じ参照番号が用いられ得て、類似の機能又は同じ機能を示し得る。これらの図は、説明の目的のみのために本発明の実施例を示すものである。当業者なら、本明細書で示された構造及び方法の代替実施例は、本明細書で説明された本発明の原理から逸脱することなく採用され得ることを、以下の説明から容易に認識するであろう。
【００１９】
本明細書で用いられる場合、「たとえば（ｆｏｒ  ｅｘａｍｐｌｅ）」、「たとえば（ｅ．ｇ．）」、「任意選択で」という用語は、限定的でない実例を紹介するのに用いられるように意図されている。特定の実例のシステム構成要素又はサービスに対して特定の参照がなされているが、他の構成要素及びサービスも同様に用いられ得、並びに／或いは、実例の構成要素が、より少数の構成要素へと組み合わされ得、且つ／又は、さらなる構成要素へと分割され得る。
【００２０】
図１及び以下の説明は、本発明が実装され得る適切なコンピュータ環境の、簡単で全般的な説明を提供するように意図されている。モバイル・デバイス（たとえばスマート・フォン）上で動作し、専用のウェブサイトを伴い得る専用アプリケーション・プログラムと協力して実行するプログラム・モジュールの全般的な状況で本発明が説明されることになるが、当業者なら、本発明が、他のプログラム・モジュールとも組み合わせて実装され得ることを認識するであろう。同様に、特定の実例がスマート・フォンを参照することがあるが、タブレット、ネットワーク使用可能な携帯情報端末（ＰＤＡ）、パーソナル・コンピュータ（ＰＣ）システムなどの他のモバイル・デバイス又はコンピュータ・ベースの電子システムも同様に、限定されることなく使用され得る。
【００２１】
別様に示されなければ、本明細書で説明された機能は、コンピュータ可読媒体に記憶されて１つ又は複数のプロセッサ・ベースのシステム上で動作する実行可能コード及び命令を含んでいるプログラム・モジュールによって遂行されてよい。しかしながら、状態機械及び／又はハードワイヤード電子回路も利用することができる。さらに、本明細書で説明された例示的プロセスに関して、すべてのプロセス状態に到達しなければならないわけではなく、それらの状態を図示の順番で遂行する必要があるわけでもない。
【００２２】
一般に、プログラム・モジュールは、ルーチン、プログラム、コンポーネント、データ構造、及び特定のタスクを遂行する、又は特定の抽象データ・タイプを実装する他のタイプの構造体を含む。その上、当業者なら、本発明が、ハンドヘルド・デバイス、マルチプロセッサ・システム、マイクロプロセッサ・ベース又はプログラム可能な家電、ミニコンピュータなどを含む他のコンピュータ・システム構成で実践され得ることを理解するであろう。本発明は、通信ネットワークを通じて接続されている遠隔処理デバイスによってタスクが遂行される分散コンピューティング環境で実践されてもよい。分散コンピューティング環境では、プログラム・モジュールはローカル記憶デバイスと遠隔記憶デバイスの両方に配置されてよい。
【００２３】
それに加えて、特定のユーザ入力又はジェスチャーは、電話キーを押すこと、キーボードを介してのデータ入力、又はコンピュータ・マウスをクリックすることによってもたらされると説明されているが、任意選択で、ユーザ入力は、ボイス又は他のものなどの技法を用いてもたらされ得る。本明細書で示されて説明された例示の画面レイアウト、外観、及び、用語法は、例証及び例示になるように意図されており、特許請求される本発明の範囲をいかようにも制限するように意図されたものではない。
【００２４】
図１を参照して、本発明を実装するための１つの例示的システムは、会議調整サーバ１、及び会議調整サーバ１と通信することができる複数の端末ユニットを含む。端末ユニットは、スマート・フォン２、パーソナル・コンピュータ（ＰＣ）などの任意のコンピュータ・ベースのデバイスであり得る。サーバ１との通信は、専用アプリケーション又は専用のウェブサイト（又はウェブ・インターフェース）を介して行なわれ得る。基本構成では、サーバ１は、少なくとも１つの処理ユニット及びシステム記憶装置（図示せず）を含む。システム記憶装置は、１つ又は複数の専用ソフトウェア・アプリケーションを含み、機密且つ匿名のやり方でユーザのカレンダ間の同期をとることによってカレンダ管理サービスを提供するためのプログラム・データも含み得る。このシステムには、任意選択で、以下でより詳細に論じられるサード・パーティ５の１つ又は複数の端末ユニットが、さらに組み込まれ得る。サーバ１と端末ユニットは、インターネットなどの通信ネットワーク３を通じて通信する。
【００２５】
本発明の一実施例によれば、このシステムの各ユーザが有する自前のカレンダは、スマート・フォン２などのモバイル・デバイス上で、又はＰＣ若しくはタブレットなどの別のコンピュータ・システム４による同時且つ同期性のやり方で、専用アプリケーションによってローカルで管理され得る。サーバ１と専用アプリケーションは、（たとえばユーザの端末ユニット２を通じて）互いを周期的に（たとえば１５分ごとに）更新することができる。
【００２６】
本発明の一実施例によれば、専用アプリケーションは、勤務時間、位置（たとえば、同一イベントに招待された出席者間の、都市の異なる位置、さらには異なる時間帯による移動時間を考慮に入れるために）、注意喚起（たとえば薬を飲むため、ライブ・スポーツイベント、正装規定など）など、各ユーザが、自分の予定を自動的に管理するために１つ又は複数の条件を設定することを可能にする。一旦、イベントがスケジュール設定されると、すべての出席者が、その特定のイベントの会議のグループとして定義されることになり、その特定のイベントの身元照会を有するすべての出席者間の通信（たとえばマッサージ、共有ファイル／画像、音声マッサージ、電話会議、送信タスクなど）を扱うことができるようになる。
【００２７】
本発明の一実施例によれば、専用アプリケーションにより、ユーザは、それぞれの予定されたイベント（すなわちユーザのカレンダにおける占有された期間）の重要度を設定することが可能になる。たとえば、「重要でない」、「非常に重要である」など、少なくとも２つの重要度があり得る。したがって、同一期間に２つ以上のイベントがスケジュール設定されている場合には、システムからユーザに警告が出て、重要度が低いイベントは、ユーザ承認によって、又はシステムによって自動的にスケジュール変更されることになる。
【００２８】
本発明の一実施例によれば、サーバ１内の会議調整プロセスは、以下のステップを包含している。
−  各カレンダを複数の時間キューブ（たとえば各キューブが１５分の期間を表し得る）に分割することにより、均一な時間スケールの時間的順序の形式の（たとえば図２の数字１０によって示されるような連続したリボンに類似している）カレンダを用意するステップ。
−  各時間キューブを、空き状態（すなわち、図２の数字１１によって示されるような、たとえば縁色で表され得る利用可能な状態）、占有状態（すなわち、図２の数字１２によって示されるような、たとえば赤色で表され得るビジー状態）、保留状態（図２の数字１３によって示されるように、たとえば黄色で表され得る）といった３つの状態のうちの１つで定義することを許すステップ。たとえば、別様に定義されなければ、デフォルトで、すべての時間キューブを「空き状態」に設定することができる。
−  １人又は複数のユーザが特定のイベントへの招待を承認したとき、システムだけが使用することになる（いかなるユーザとも共有されない）安全な「プライベート・ルーム」を開くステップ。システムは、それぞれの承認されたユーザ（すなわち出席者）の予定を、この安全な「プライベート・ルーム」へインポートするが、それぞれのインポートされる予定に関する唯一の情報は、それぞれの時間キューブの状態（たとえば図３及び図４に関して示されたように、緑、赤又は黄色といった関連した色で表されるような）ということになる。任意選択で、システムは、それぞれの出席者によって与えられた重要度も、占有されたものとして無視されている時間キューブにインポートすることになる。
−  次いで、この安全な「プライベート・ルーム」において、すべての予定にわたって（該当する場合には時間帯の差を考慮して）同時に検索し、出席者及び招待／イベントのデータによって与えられたすべて条件（たとえば、条件は、時間及び時差、位置、移動時間（異なる出席者に関する異なる時間帯の場合など）をであり得る）を考慮に入れて、すべての出席者の間で、利用可能な共通の時間キューブ（又は共通の「空き」時間キューブの系列若しくは他の組合せ）の第１の選択肢又は他の選択肢を見つけるステップ。たとえば、すべての出席者に関する第１の利用可能な一連の「空き」時間キューブが、（ユーザ１、ユーザ２及びユーザ３の出席者によって示されるように）３人の出席者の関連したカレンダ部分の例示のリボン状の形式に関して、図３の点線１４内の時間キューブによって示されている。たとえば、ユーザ３の、ユーザ１及びユーザ２と予定されたイベントへの移動時間の場合は、（たとえばユーザ３の、以前のイベントの位置と新規予定のイベントの位置の間の距離のために）数時間を要する可能性がある。この場合、システムは、すべての出席者間の共通の「空き」時間キューブの利用可能な系列の同期をとる一方で、それぞれの出席者が新規の予定イベントの位置に到達するのに必要とする近似の移動時間を考慮に入れる。位置情報は、それぞれの出席者カレンダの以前のイベントから（そのようなイベントがスケジュール設定されていた場合）、又は、ユーザよって与えられた位置情報、若しくは、たとえばＧＰＳ、セルラーなどのユーザのモバイル・デバイスが提供するサービスよって与えられた位置情報に基づいて、（たとえば図３の点線１５内の３つの「空き」時間キューブによって示されるように）スケジュール設定条件のうちの１つとして取得され得る。点線１５内の３つの「空き」時間キューブは、出席者（たとえばユーザ３）の、以前のイベントの位置から会議の位置までの近似の移動時間を表す。
−  整合する時間キューブを、自動的に、又はすべての関連した出席者によって承認された後に、（図４の点線１４内の時間キューブによって示されるように）占有されたものとして設定するステップであって、ユーザ３のカレンダにおいて、移動時間の期間を、（図４の点線１５内の時間キューブによって示されるように）占有されたものとして設定するステップを含むステップ。
【００２９】
本発明のいくつかの実施例によれば、このシステムは、イベントのために１つ又は複数の任意選択の会議時間を用意するためのソフトウェア手段をさらに備え、その中で、カレンダ上に任意選択の時間キューブがマークを付けられて、提供された整合する選択肢のうちの１つをユーザが選択することができるように、任意選択の時間系列が、それぞれのユーザのカレンダ上に示されることになる。任意選択で、このシステムは、ユーザが、イベント及びその出席者の情報、条件及び制約のすべてと整合する最も早い時間系列を容易に選択することを可能にするために「最も早い選択肢」ボタンを提供するためのソフトウェア手段をさらに備えてよい。
【００３０】
当業者には理解されるように、上記で説明された会議調整プロセスは、機密且つ匿名のやり方でカレンダの同期をとるための空き時間情報サービスをもたらす。安全なプライベート・ルームを介して同期がとられるので、誰も（カレンダの所有者でさえ）他の出席者の予定を見ることができない。
【００３１】
示唆されたシステムは、ユーザに対して秘書のサービス及びパーソナル・マネージメント・サービスを提供する賢い秘書として用いられ得る。当業者には理解されるように、このシステムは、ユーザの予定を、ユーザの勤務時間及び習慣に基づいて自動的に管理することができる。
【００３２】
本発明のいくつかの実施例によれば、このシステムは、追加の特徴及びサービスをさらに備える。ユーザは、このシステムを用いて、より多くの情報及びデータを共有して設定することにより、より優れた秘書のサービスを得ることになる。このシステムは、ユーザの要求に従って会議位置を提供することができ、サード・パーティのエンティティからのさらなる情報と、必要に応じて、たとえば図１のサード・パーティのサービス５によって示されるようなフライト、ホテル、レンタカー、レストラン予約サービス又は他の予約と前払いのサービスなどのオンライン予約とを提供することさえできる。たとえば、これは、ローカル／グローバルの整合検索エンジンと、安全な支払いチャネルを介したＰａｙＰａｌ／クレジットカード払いサービスとを使用して、これらと協働することによって取得され得る。
【００３３】
上記のことはすべて、以下の例証となる非制限的な実例によって、より良く理解されるであろう。
【００３４】
本発明の一実施例によれば、このシステムにより、ユーザは、選択された相手先を特別なロールの相手先として定義することができ、任意選択で、リストの中の他の相手先に対して（図８の数字５２及び５３によって示されるように）固有の視覚的なやり方で、それらにマークを付けることもできる。一般に、特別なロールの相手先は、ベビーシッター、運転手、言語翻訳者、犬の散歩請負人など、誰かの個人生活又は専門の生活に関して特定の職務を有する人を表し得る。これによって、ユーザは、イベントを設定するときに使用されることになる特定のロールを相手先に設定することができる。たとえば、ユーザは、ベビーシッターなどの特別なロールを有する特定の相手先を定義することができる。したがって、ユーザは、特定のイベント（たとえばコンサート）に行きたい場合は常に、所望のイベント（たとえばコンサート）に合わせてベビーシッターのサービスを注文するために、ベビーシッターの予定と（又はその代わりにベビーシッターのサービスと）同期するための専用アプリケーションを用いることができる。
【００３５】
本発明のいくつかの実施例によれば、ユーザは、イベントによっては、関連した会議／イベントの出席者に、イベントに関する特別な情報／依頼／質問（たとえば正装規定、「ケーキを持って来て下さい」又は「ベジタリアン用の料理が必要ですか？」など）を送信するのに、専用アプリケーションを用いることができる。一旦、イベントがスケジュール設定されると、すべて出席者がその特定のイベントの会議のグループとして定義されることになる。これによって、出席者は、その特定のイベントの身元照会を有するすべての出席者間の通信（たとえばマッサージ、共有ファイル／画像、音声マッサージ、電話会議、送信タスクなど）を扱うことができるようになる。
【００３６】
本発明の一実施例によれば、このシステムにより、ユーザは、相手先に対して、（たとえば２週間ごとに会合する、といった）会合間隔、異なる特性の有効化／無効化などの制限を設定することができる。それらの制限は、自動メカニズムを用いて会議を設定するときの検討中に採用されることになる。たとえば、そのような、特性の有効化／無効化には、
特定の相手先がユーザのカレンダにタスクを送信することを可能にする「Ａｌｌｏｗ  ｓｅｎｄ  ｔａｓｋ」と、
同時に２つの会議がある場合、どちらを受諾して、どちらをスケジュール変更するか識別するための方法である「Ｃｏｎｔａｃｔ  ｐｒｉｏｒｉｔｙ」と、
ユーザが、相手の希望通りに毎回会うのではなく、間隔をおいて会合を設定したい場合のロールである「Ｍｅｅｔｉｎｇ  ｇａｐ」とが含まれ得る。
Ｃｌｅａｒ  Ｍｙ  Ｄａｙ（ＣＭＤ）
【００３７】
本発明の一実施例によれば、（たとえば緊急の場合）ユーザは、システムによって自動的に、全日の会議／イベントをクリアして、それらの会議／イベントをすべてスケジュール変更するのに専用アプリケーションを用いることができる。
【００３８】
「Ｃｌｅａｒ  ｍｙ  ｄａｙ」は、全日の会議及びタスクをクリアして、その日のイベントをキャンセルするか又はスケジュール変更することの必要性を、スケジュール設定された会議のすべての出席者（及びタスクの送り手）に通知することにより、早急な助けを提供するための非常ボタンとして機能することになる。このシステムにより、ユーザに、一般的なメッセージのデフォルト又はユーザが適用できる自作の個人的メッセージとの間で選択することが適用されるようになる。
【００３９】
「Ｃｌｅａｒ  ｍｙ  ｄａｙ」の選択肢は、その日の内容をクリアして会議をすべて削除するものである。その日の会議の参加者であるすべてユーザが、キャンセルされた会議のメッセージをもらうのが望ましい。たとえば、ＣＭＤは、
秘書の自動メカニズムを用いて、会議をすべてスケジュール変更し、すべての関連した参加者にメッセージを送信するための「Ｃｌｅａｒ  ｍｙ  ｄａｙ  ａｎｄ  ｒｅｓｃｈｅｄｕｌｅ」と、
すべての参加者にキャンセルのメッセージを送信する「Ｃｌｅａｒ  ｍｙ  ｄａｙ」と、
警報を閉じて、何も行なわない「Ｃａｎｃｅｌ」との３つの選択肢を警報に載せてよい。
【００４０】
専用アプリケーションは、ユーザのイベント／会議に関する注意喚起を、参照に伝えられたすべてのコメントとともに送信してよい。
【００４１】
本発明によって提供される追加の利益には、会議調整サーバによる専用アプリケーションが、ユーザが多数の参加者のイベントを計画するのを支援し、すべての出席者に対してスケジュール設定し、参加者の数と、参加者のカレンダにおいてユーザのイベントが承認され、且つスケジュール設定されている様子とをユーザに示すということがある。たとえば、ユーザは、メイン・ディッシュの選好などを受け付けるのに専用アプリケーションを用いることができる。
【００４２】
本発明の一実施例によれば、ユーザは、専用アプリケーションによって、選択されたイベント向けに計画された招待状（たとえば相互通信型の招待状、マルチメディアの招待状、３Ｄ設計の招待状など）を送信することを選択することができ、また、招待状に、バックグラウンド・ミュージックとして音楽（たとえば着メロ（登録商標）／曲／ビデオ・クリップ／リミックス・ミュージック／プレイ・リストなど）を追加することさえできる。図７Ａ及び図７Ｂは、そのような招待状の例示的画面レイアウトを概略的に示す。この実例では、招待状は、テクスチャ加工された／設計された背景（たとえばＪＰＧ、ＧＩＦ又は任意の他の適切な画像ファイル・タイプなどの画像ファイル・タイプ）と、招待されたユーザ用のテキスト、予定及び「参加」／「不参加」などの１つ又は複数の操作ボタンと、招待されたユーザが、参加又は不参加を返事する前に、自分の予定に対するイベントの時系列を閲覧するための選択肢とを含む。一旦、招待されたユーザが招待を受諾すると、システムは、招待及び同ユーザのカレンダへのスケジューリングを設定し、任意選択で、招待状からそれらの動作ボタンを除去することになる。図７Ａは招待状生成スクリーンの実例を示しており、ユーザは、好ましい背景、フォントなどを選択することができる。図７Ｂは、そのユーザに招待された相手先が受け取った招待状を示す。
【００４３】
本発明の一実施例によれば、専用アプリケーションによって、ユーザは、カレンダから会議のデータの隠蔽を選択することもでき、そのイベントの時間はビジー状態になるが、会議のデータは、パスワードを与えなければ露見しないことになる。
【００４４】
本発明のいくつかの実施例によれば、このシステムは、ユーザが、それぞれの相手先の人物又は一群の相手先に対して特定の背景色（たとえばそれぞれの私的グループ向けの別々の色）を選択することを可能にする。この色は、ユーザのカレンダ上の相手先の人物／グループに関連したすべてのイベントの背景色として用いられ得る。
【００４５】
専用アプリケーションは、ユーザが、以前に送って承認された招待状を追跡して開くこと、自分宛の招待状を受け取ること、会議／イベントを更新するか又はキャンセルすることを支援するはずである。その上、専用アプリケーションによって、ユーザは、ユーザの相手先、又は、たとえば同じ都市に住んでいるユーザなどの関連した属性を有する他のシステムのユーザ、若しくは他の共通の属性を有するユーザと、グループ（たとえば犬の散歩時間帯のグループ、購入グループ、通学バスのグループ、読書会など）を結成すること、又はそのグループに加入することが可能になり得る。
グループ
【００４６】
本発明の一実施例によれば、ｉ）ユーザが生成する、家族、友人、同僚のような私的グループと、ｉｉ）会議又はイベントが設定されるとき自動的に生成される会議グループとの、少なくとも２つのタイプの主要なグループがある。
【００４７】
図５は、本発明の一実施例による私的グループの例示的画面レイアウトを概略的に示すものである。中央の画面レイアウトには、ユーザがすべてのグループ間をナビゲーションすることを可能にする自動ダイヤル装置５０がある。この実施例では、自動ダイヤル装置５０を左又は右に回すと、異なるグループの間をナビゲーションすることができる。たとえば、ダイヤルの中心をタッピングすると、このグループが生成された日付、このグループにおける相手先の数、このグループで送信された最新の書込みなど、現在選択されているグループの画面に関する情報がもたらされることになる。
【００４８】
図６は、本発明の一実施例による会議グループの例示的画面レイアウトを概略的に示すものである。会議が設定されるとき、会議グループが自動的に生成される。この実施例では、これらのグループ間のナビゲーションは自動ダイヤル装置５０のような形式で行なわれるが、ユーザが日、週、月などの所望の日付範囲を選択することができる予定範囲選択５１を伴うものである。
時間ベースのコメント（ＴＢＲ）
【００４９】
ＴＢＲは、たとえば「ママが休暇を楽しんだ」のように、特定の時間に起こるが、ユーザのスケジュール設定には影響しないものをユーザが書き留めるための選択肢である。本発明の一実施例によれば、ＴＢＲはカレンダに出現するが、その時間は利用可能なものとして示され、自動会議設定メカニズムを用いるとき、検討中に、利用可能なものと見なされることになる。
送信タスク
【００５０】
本発明のいくつかの実施例によれば、このシステムは、ユーザの１つ又は複数の相手先に１つ又は複数の割当てを送信するための選択肢を含む。このタスクは、その相手先のカレンダに（自動的に、又は承認され次第）追加され得る。そのような送信タスクを生成するステップは、ＴＢＲとしてユーザ自身のカレンダに書き込まれ得る。この方法は、たとえばユーザのカレンダ上のタスクに関するユーザの予定時刻又はユーザのインボックス上のタスク・リストによって、ユーザのタスクを処理するための２つ以上の選択肢をユーザに提供するステップをさらに含む。どちらの選択肢も、互いを同時に更新することになる。
【００５１】
本発明の一実施例によれば、このシステムは仮想掲示板を備える。仮想掲示板は、図９に概略的に示されるように、場所、近くのアトラクション及び企業、就業チャンス、遺失物取扱所、地域社会のニュース、ガレージ・セール、寄り合いなどのいくつかのカテゴリ／トピックスを含み得る。掲示板のコンテンツは、位置ベースの情報（たとえばＧＰＳによる情報、又はスケジュール設定された会議の位置による情報）又は非位置ベースの情報のいずれかであり得る。たとえば、専用アプリケーションによって、各カテゴリが、トップ・メッセージ／選択されたメッセージ（たとえばそれぞれのスクリーン上のそれぞれのカテゴリに関する３つ〜５つのメッセージ）を提示してよい。任意選択で、メッセージは、無制限の広告を提供するために、横にスクロールされ得る。選択されたモバイル・デバイスには、特定の掲示板ですべてのメッセージを閲覧するためのすべてのタップ・アンド・シーの選択肢があるであろう。メッセージ上でタッピングすると、メッセージを全画面ビューに拡大することになる。
位置ベースの広告
【００５２】
本発明の一実施例によれば、システムは、１つ又は複数のサード・パーティのエンティティが、ユーザのカレンダ及びその現在／将来のスケジュール設定された位置に関する位置ベースのコンテンツを提供することができるように、位置ベースのコンテンツ・モジュール（たとえば広告サーバ）、又はその代わりに、サード・パーティの商用コンテンツ・サーバと通信する手段を備える。
【００５３】
たとえば、そのような位置ベースのコンテンツが存在するときは常に、ユーザのカレンダ上に、美食セクタ（たとえばローカル・パブのサービス・タイム又は特定のレストランの割引などの食品関連の利益を示し得る１杯のコーヒーの形のアイコン）、自明のセクタ（たとえば特定の近くのホテルでの割引を表し得る文字「ｉ」の形のアイコン）、文化及びエンターテインメント（たとえばスポーツイベント、近くの劇場、又は映画の割引を表し得るニコニコ顔の形のアイコン）、購入啓発（たとえば近くのモール及びショッピング・センターを表し得るショッピング・カートの形のアイコン）、交通手段（たとえばフライト契約、利用可能な駐車場、レンタカーを表し得る自家用車の形のアイコン）など、コンテンツのセクタ又はタイプを示すだけ、又は表すだけのアイコン又は他の関連したシンボルとして通知を表示する広告サーバをさらに備える。図１０は、ユーザのカレンダ５６に提示されたような、美食セクタを表す１杯のコーヒーの形のアイコン５５を概略的に示す。
【００５４】
本発明の一実施例によれば、広告は、ユーザの作業環境に対する障害を防止するばかりでなく、さらに、ユーザにも広告主にも利益をもたらすやり方及び配置で実装される。これは、システムのアプリケーションが、ユーザを私人、社会人又は専門家と見なすばかりでなく、それらをすべて一緒に考慮することによってユーザ間を接続する革新的なやり方である、というコンセプトによってなされている。このシステムは、カレンダ管理サービスを、秘書の管理サービス及び私的管理サービスの機能と組み合わせて提供する。この能力によって、システムは、ユーザのデバイス位置の検出及びユーザの将来のイベント位置の態様において、広告主とユーザの間に、固有の手法で、以下のような固有の整合を提供することになる。
この観点において、システムが提供する新しい種類の広告は、疑いの余地なくユーザの好奇心を強め、したがって、ユーザが広告をクリックする確率が高まる。もはや、印象、クリック、変換、ＣＴＲ（クリック率：印象とクリックの間の関係）などの広告界からの通常の用語に関連付ける必要はない。ユーザの進路に沿ってずっと、又はユーザの将来のスケジュール設定された位置に基づいて、測位情報に基づく主題のアイコンを、どの広告主が背後に隠れているもの知らせることなく示すと、ユーザは、そのアイコンが何であるか発見しようとする意志が強くなるはずである。また、「くじびき券」の態様においてユーザの好奇心が生じるはずである。たとえば、これらの「アイコン」広告をクリックすることにより、ユーザ・フレンドリな小さいポップ・アップが開き、ユーザの近くにある企業において、無料の贈り物／利益、クーポンなどを獲得して節約する可能性をユーザに与えることになる。
【００５５】
ユーザは、現在の位置／将来のスケジュール設定された位置に関連した利益を得る。広告主の利益には、ａ）自分の企業の近くにいる標的視聴者、ｂ）クリックの頻度を増加させるはずの広告で好奇心を生じさせることにより、より多くのユーザに広告を閲覧してもらうこと、ｃ）提案された場の画面において、「契約をまとめる」のに最も近い広告を示すことがある。たとえば、ユーザが自分の会議の場として企業の広告をクリックすることを選択すると、その企業がユーザの招待状に現れて、すべてのイベントの出席者の予定に示されることになる。
【００５６】
本発明のシステムにより、ユーザは、すべての会議／イベントのデータとともに招待状を送受信すること、及び簡単且つ効率的に、スケジュール設定して、誰も他人の予定を見ることができない安全なやり方で、ユーザの会議の出席者と同期をとることが可能になる。その上、ユーザは、招待を受諾するか、日／日付／時間の制限を通して（そのことを他の出席者に知られることなく）受諾するか、又は緩やかなやり方で断わるか、天候を判断することができる。
【００５７】
上記すべての説明及び実例は、説明の目的で示されており、多少なりとも本発明を制限するようには意図されていない。多くの異なるメカニズム、解析の方法、電子的要素及び論理素子が、すべて本発明の範囲を超えることなく、採用され得る。
【図５】
2015531505.tif 000003
【図６】
2015531505.tif 000004
【図７Ａ】
2015531505.tif 000005
【図７Ｂ】
2015531505.tif 000006
【図８】
2015531505.tif 000007
【図９】
2015531505.tif 000008
【図１０】
2015531505.tif 000009
【図１】
2015531505.tif 000010
【図２】
2015531505.tif 000011
【図３】
2015531505.tif 000012
【図４】
2015531505.tif 000013
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
ユーザ又は参加者の間でカレンダを共有する必要なく、機密のやり方でカレンダ間を調整する方法であって、
ａ．各カレンダが、均一な時間スケールの時間的順序として表されるように、各カレンダを時間キューブへと分割するステップと、
ｂ．それぞれの特定のカレンダ上の各時間キューブを、位置と、各ユーザがそれぞれの予定されたイベントに対して重要度を設定することを可能にすることにより、占有状態／保留状態と明示された時間キューブに対して、カレンダの所有者によって与えられた重要度とに従って、空き状態、占有状態又は保留状態といった予約状況のうちの１つによって定義するステップと、
ｃ．ユーザが、承認を得るために、１つ又は複数の相手先に対してイベントへの招待を表すデータを送信することを許し、１つ又は複数の相手先の招待が承認されたとき、各ユーザの空き状態、占有状態、又は保留状態といった予約状況以外は、いかなるカレンダリング・コンテンツも用いることなく、機密且つ匿名のやり方で、ユーザのカレンダ間の同期をとるように適合された会議及びイベントの調整サーバにおける安全な「プライベート・ルーム」を開き、前記「プライベート・ルーム」へ、それぞれの承認された相手先の予定を、各相手先の各予定に含まれるデータが、各相手先の予約状況、位置、占有状態又は保留状態と明示された時間キューブに対してカレンダの所有者によって与えられた重要度のみを表すように、機密のやり方でインポートするステップであって、前記ユーザを含むすべての承認された相手先を、前記イベントの出席者として定義するステップと、
ｄ．前記安全な「プライベート・ルーム」において、すべてのインポートされた予定表を同時に検索し、すべての出席者の間で「空き」状態と定義された共通の利用可能な整合する時間キューブ、又はすべての出席者間の「空き」状態の時間キューブの連続若しくは他の組合せ、又はスケジュール変更され得る現イベントよりも重要度が低いとカレンダ所有者によって類別された一連の「占有状態／保留状態」の時間キューブ、のうち少なくとも１つの選択肢を見つけて、前記出席者及び前記イベントのデータによって与えられた、すべての出席者の間の時差と各出席者の近似の移動時間とを含むすべての条件を検討するステップと、
ｅ．前記整合した時間キューブを、自動的に、又は前記出席者によって承認された後に、各出席者の会議／イベントへの近似の移動時間を含めて、占有されたものと設定するステップとを含む方法。
【請求項２】
２つ以上のイベントの間に時間競合がある場合は常に、それほど重要でないイベントを延期して他の時期にスケジュール変更することにより、前記カレンダ内のイベントに、重要度に応じて優先順位を付けることを可能にするステップをさらに含む請求項１に記載の方法。
【請求項３】
前記整合させるステップが、参加者とイベントの位置の間の時間帯の差と、各出席者の、直前のイベントの位置から必要な移動時間、又は位置サービス若しくは前記ユーザから提供された位置に応じた必要な移動時間とを考慮する請求項１に記載の方法。
【請求項４】
全日の会議／イベントをクリアし、任意選択でそれらをすべてスケジュール変更する手段を提供するステップをさらに含む請求項１に記載の方法。
【請求項５】
前記ユーザに、特定の時間に現れるが、前記ユーザの予定及び前記１つ又は複数の時間キューブの予約状況には影響を及ぼすことのないコメントを追加するための選択肢を提供するステップをさらに含む請求項１に記載の方法。
【請求項６】
前記ユーザの１つ又は複数の相手先に対して１つ又は複数のタスクを送信するための選択肢を提供するステップをさらに含み、前記タスクが、エンド・ユーザ間でカレンダを共有する必要性なく、前記１つ又は複数の相手先のカレンダに（自動的に、又は承認され次第）追加され得るステップをさらに含む請求項１に記載の方法。
【請求項７】
前記送信タスクを生成するステップ又は新規の時間ベースの注意喚起を生成するステップが、時間キューブを占有状態と定義することなく、時間ベースのコメントとして前記ユーザのカレンダに書き込まれ得る請求項８に記載の方法。
【請求項８】
前記イベントに対して１つ又は複数の任意選択の会議時間を適用するステップであって、直前の予定されたイベントの位置から前記イベントの位置に到達するのに必要とされる前記推定された時間キューブを含んでいるカレンダ上に、任意選択の時間キューブが、マークを付けられて、提供された整合する選択肢のうちの１つをユーザが選択することができるように、他のエンド・ユーザのカレンダを露見させたり、共有したりすることなく、それぞれのユーザのカレンダ上に任意選択の時間系列が表示されることになり、同一期間に２つ以上のイベントがスケジュール設定されている場合には、前記システムから前記ユーザに警告が出て、前記重要度が低いイベントが、前記ユーザの承認によって、又は前記システムによって自動的にスケジュール変更されることになるステップをさらに含む請求項１に記載の方法。
【請求項９】
直前のイベントの位置から新規の予定イベントの位置に到達するために各出席者が必要とする近似の移動時間を考慮して、又は前記ユーザ若しくはユーザのモバイル・デバイスの位置サービスによって提供された位置情報に従って、前記ユーザによって類別された重要度の低い予定されたイベントをスケジュール変更することによって利用することができる早期選択肢の発見を最適化するために、前記ユーザによって類別された重要度の高いイベントを優先させることによって、前記ユーザが、前記イベント及びその出席者の、情報、条件及び制約のすべてと整合する最も早い時間系列を容易に選択することを可能にするための「最も早い選択肢」ボタンを提供するステップをさらに含む請求項１０に記載の方法。
【請求項１０】
各ユーザの前記カレンダ上に、サード・パーティのエンティティに関連した位置ベースの通知を表示することを可能にするステップをさらに含む請求項１に記載の方法。
【請求項１１】
前記サード・パーティのエンティティが広告主又は商用コンテンツのプロバイダである請求項１０に記載の方法。
【請求項１２】
ユーザの依頼に従って会議の場所を提供するステップをさらに含む請求項１に記載の方法。
【請求項１３】
サード・パーティからの追加の情報及びオンライン予約を提供するステップをさらに含む請求項１２に記載の方法。
【請求項１４】
選択された相手先を特別な役割の相手先として定義し、任意選択で、他のユーザの相手先に対して、固有の視覚的なやり方で前記特別な役割の相手先にマークを付けることを可能にするステップをさらに含む請求項１に記載の方法。
【請求項１５】
ユーザが前記カレンダから会議のデータを隠蔽をすることを可能にするステップであって、前記イベントの時間がビジー状態として現れ、前記会議のデータが、パスワードを与えなければ露見しないことになるステップをさらに含む請求項１に記載の方法。
【請求項１６】
ユーザが、選択されたイベントに対して、設計された招待状を送信することを可能にするステップであって、前記設計された招待状が、画像、動画像若しくは音声、又はそれらの任意の組合せを含み得るステップをさらに含む請求項１に記載の方法。
【請求項１７】
ユーザが、前記設計された招待状にバックグラウンド・ミュージックを追加することを可能にするステップをさらに含む請求項１６に記載の方法。
【請求項１８】
ユーザ又は参加者の間でカレンダを共有する必要なく、機密のやり方でユーザのカレンダ間を調整するためのシステムであって、
ａ）各ユーザの空き状態、占有状態、又は保留状態といった予約状況以外は、いかなるカレンダリング・コンテンツも用いることなく、安全な「プライベート・ルーム」によって、安全な匿名のやり方で、カレンダの所有者によってそれぞれの予定されたイベントに与えられた重要度、及びそれぞれの予定されたイベント又は保留イベントの位置に従って、ユーザのカレンダ間の同期をとるように適合された会議調整サーバと、
ｂ）前記会議調整サーバと通信し、且つ同期をとるために、ユーザの端末ユニット上で動作する／実行するように適合された専用アプリケーションとを備えるシステム。
【請求項１９】
１つ又は複数のサード・パーティのエンティティが、前記ユーザのカレンダ及び現在／将来の１つ又は複数の予定位置に関して位置ベースのコンテンツを提供することを可能にするための広告サーバであって、前記位置ベースのコンテンツが存在するときは常に、前記ユーザのカレンダ上に、前記コンテンツのセクタ又はタイプを表すだけ、又は示すだけのアイコン又は他の関連したシンボルとして通知を表示する広告サーバをさらに備える請求項１８に記載のシステム。
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
機密且つ匿名のやり方で動的カレンダ管理サービスを提供する方法であって、
ａ．１人又は複数のユーザに対するイベントへの招待状の生成に際して時間キューブに与えられたリアルタイムの有用性データ及び条件を取得するステップであって、前記条件が位置及び重要度を含んでいるステップと、
ｂ．時差と、各ユーザに必要な近似の移動時間とを含む前記条件を考慮に入れながら、共通の利用可能な整合する時間キューブの少なくとも１つの組合せを見つけるために、前記ユーザのカレンダ間で、機密且つ匿名のやり方で同期をとるステップであって、前記共通の利用可能な整合する時間キューブが、「空き」状態又は現イベントよりも重要度が低い一連の「占有状態／保留状態」のいずれかとして定義され得るステップと、
ｃ．１人又は複数のユーザによって前記招待状が承認され次第、前記招待を承認した各ユーザのカレンダにおいて、前記整合した時間キューブを占有状態に設定するステップとを含む方法。
【請求項２】
２つ以上のイベントの間に時間競合がある場合は常に、重要度の低いイベントを延期して他の時期にスケジュール変更することにより、前記カレンダ内のイベントに、重要度及び相手先の優先度に応じて優先順位を付けることを可能にするステップをさらに含む請求項１に記載の方法。
【請求項３】
整合する時間キューブを見つける前記ステップが、参加者とイベントの位置の間の時間帯の差と、各出席者の、直前のイベントの位置から必要な移動時間、又は位置サービス若しくは前記ユーザから提供された位置に応じた必要な移動時間とを考慮する請求項１に記載の方法。
【請求項４】
全日の予定されたイベントをクリアし、任意選択で、自動的に、又は承認され次第、それらをすべてスケジュール変更するための手段を提供するステップをさらに含む請求項１に記載の方法。
【請求項５】
前記ユーザに、特定の時間に現れるが、前記ユーザの予定及び前記１つ又は複数の時間キューブの予約状況には影響を及ぼすことのないコメントを追加するための選択肢を提供するステップをさらに含む請求項１に記載の方法。
【請求項６】
前記ユーザの１つ又は複数の相手先に対して１つ又は複数のタスクを送信するための選択肢を提供するステップをさらに含み、前記タスクが、エンド・ユーザ間でカレンダを共有する必要性なく、前記１つ又は複数の相手先のカレンダに（自動的に、又は承認され次第）追加され得るステップをさらに含む請求項１に記載の方法。
【請求項７】
前記送信タスクを生成するステップ又は新規の時間ベースの注意喚起を生成するステップが、時間キューブを占有状態と定義することなく、時間ベースのコメントとして前記ユーザのカレンダに書き込まれ得る請求項６に記載の方法。
【請求項８】
前記イベントに対して１つ又は複数の任意選択の予定時間を適用するステップであって、直前の予定されたイベントの位置から前記イベントの位置に到達するのに必要とされる前記推定された時間キューブを含んでいるカレンダ上に、任意選択の時間キューブが、マークを付けられて、提供された整合する選択肢のうちの１つをユーザが選択することができるように、他のエンド・ユーザのカレンダを露見させたり、共有したりすることなく、それぞれのユーザのカレンダ上に任意の時間系列が表示されることになり、同一期間に２つ以上のイベントがスケジュール設定されている場合には、前記システムから前記ユーザに警告が出て、前記重要度が低いイベントが、前記ユーザの承認によって、又は自動的にスケジュール変更されることになるステップをさらに含む請求項１に記載の方法。
【請求項９】
直前のイベントの位置から新規の予定イベントの位置に到達するために各出席者が必要とする近似の移動時間を考慮して、又は前記ユーザ若しくはユーザのモバイル・デバイスの位置サービスによって提供された位置情報に従って、前記ユーザによって類別された重要度の低い予定されたイベントをスケジュール変更することによって利用することができる早期選択肢の発見を最適化するために、前記ユーザによって類別された重要度の高いイベントを優先させることによって、前記ユーザが、前記イベント及びその招待されたユーザの、情報、条件及び制約のすべてと整合する最も早い時間系列を容易に選択することを可能にするための「最も早い選択肢」ボタンを提供するステップをさらに含む請求項８に記載の方法。
【請求項１０】
各ユーザの前記カレンダ上に、サード・パーティのエンティティに関連した位置ベースの通知を表示することを可能にするステップをさらに含む請求項１に記載の方法。
【請求項１１】
前記サード・パーティのエンティティが広告主又は商用コンテンツのプロバイダである請求項１０に記載の方法。
【請求項１２】
ユーザの依頼に従ってイベントの場を提供するステップをさらに含む請求項１に記載の方法。
【請求項１３】
サード・パーティからの追加の情報及びオンライン予約を提供するステップをさらに含む請求項１２に記載の方法。
【請求項１４】
選択された相手先を特別な役割の相手先として定義し、任意選択で、他のユーザの相手先に対して、固有の視覚的なやり方で前記特別な役割の相手先にマークを付けることを可能にするステップをさらに含む請求項１に記載の方法。
【請求項１５】
ユーザが前記カレンダの予定されたイベントのデータを隠蔽をすることを可能にするステップであって、前記イベントの時間がビジー状態として現れ、前記イベントのデータが、パスワードを与えなければ露見しないことになるステップをさらに含む請求項１に記載の方法。
【請求項１６】
ユーザが、選択されたイベントに対して、設計された招待状を送信することを可能にするステップであって、前記設計された招待状が、画像、動画像若しくは音声、又はそれらの任意の組合せを含み得るステップをさらに含む請求項１に記載の方法。
【請求項１７】
ユーザが、前記設計された招待状にバックグラウンド・ミュージックを追加することを可能にするステップをさらに含む請求項１６に記載の方法。
【請求項１８】
動的スケジュール設定サービスのため、及びユーザ又は参加者の間でカレンダのコンテンツを共有する必要なく、機密のやり方でユーザのカレンダ間を調整するためのシステムであって、
ａ）安全な「プライベート・ルーム」を介して、ａ）各ユーザの、空き状態、占有状態又は保留状態といった予約状況をインポートし、位置と、カレンダの所有者によって、それぞれの予定されたイベントに与えられたような重要度と、それぞれの予定されたイベント又は保留のイベントの位置とに従って、ｂ）すべての出席者の間で、各カレンダのインポートされた予約状況、位置及び重要度を同時に検索し、ｃ）「占有状態／保留状態」に関連した、より重要度の低いイベントをスケジュール変更することにより、安全な匿名のやり方でユーザのカレンダ間の同期をとるように適合された会議調整サーバと、
ｂ）前記会議調整サーバと通信し、且つ同期をとるために、ユーザの端末ユニット上で動作する／実行するように適合された専用アプリケーションとを備えるシステム。
空き状態、占有状態又は保留状態といった各ユーザの予約状況、並びに位置及び重要度、それぞれの招待されたユーザの習慣及びイベントのタイプ。
【請求項１９】
１つ又は複数のサード・パーティのエンティティが、前記ユーザのカレンダ及び現在／将来の１つ又は複数の予定位置に関して位置ベースのコンテンツを提供することを可能にするための広告サーバであって、前記位置ベースのコンテンツが存在するときは常に、前記ユーザのカレンダ上に、前記コンテンツのセクタ又はタイプを表すだけ、又は示すだけのアイコン又は他の関連したシンボルとして通知を表示する広告サーバをさらに備える請求項１８に記載のシステム。
【手続補正２】
【補正対象書類名】明細書
【補正対象項目名】００１６
【補正方法】変更
【補正の内容】
【００１６】
【図１】本発明の一実施例による会議調整システムを示す概略図である。
【図２】本発明の一実施例による、時間キューブに分割されたカレンダの、リボン状の形式の例示的表現を示す概略図である。
【図３】数人の出席者の時差及びその位置への近似の移動時間を考慮した、利用可能な時間キューブ間の整合を示す概略図である。
【図４】出席者のカレンダのそれぞれにおいて、占有されたものとして、会議／イベントの時間及び移動時間の登録を示す概略図である。
【図５】本発明の一実施例による会議調整システムの例示的画面レイアウトを示す概略図である。
【図６】本発明の一実施例による会議調整システムの例示的画面レイアウトを示す概略図である。
【図７Ａ】本発明の一実施例による会議調整システムの例示的画面レイアウトを示す概略図である。
【図７Ｂ】本発明の一実施例による会議調整システムの例示的画面レイアウトを示す概略図である。
【図８】本発明の一実施例による会議調整システムの例示的画面レイアウトを示す概略図である。
【図９】本発明の一実施例による会議調整システムの例示的画面レイアウトを示す概略図である。
【図１０】本発明の一実施例による会議調整システムの例示的画面レイアウトを示す概略図である。
【国際調査報告】
2015531505.tif 000014
2015531505.tif 000015